(57)【要約】【課題】加工が容易で量産に適し，かつ強度，堅牢性の高い誘電体線路フィルタを提供すること。【解決手段】略平行な２つの導電体板１，２の間に誘電体媒質３と誘電体ストリップ４とを設け，誘電体ストリップ４を通して信号を伝送するようにしてなる誘電体線路を用いた誘電体線路フィルタＸにおいて，所定周波数帯域の信号の伝送を遮断するよう誘電体ストリップ４の一部分の誘電率を調整する。また、誘電体媒質３および誘電体ストリップ４を実質的に同一材料である多孔質材料から構成する。【選択図】図１
2004343316.tif 000002
【特許請求の範囲】
【請求項１】
略平行な２つの導電体板の間に誘電体媒質と誘電体ストリップとを設け，前記誘電体ストリップを通して信号を伝送するようにしてなる誘電体線路を用いた誘電体線路フィルタにおいて，
所定周波数帯域の信号の伝送を遮断するよう前記誘電体ストリップの一部分の誘電率が調整されてなることを特徴とする誘電体線路フィルタ。
【請求項２】
前記誘電体ストリップが多孔質材料からなり，該誘電体ストリップの一部分の多孔質材料の空孔率を調整するようにしてその誘電率が調整される請求項１に記載の誘電体線路フィルタ。
【請求項３】
前記誘電体ストリップの一部分と他の部分との間に信号の反射を抑制するようにその誘電率が調整される反射抑制部が形成されてなる請求項１又は２に記載の誘電体線路フィルタ。
【請求項４】
前記反射抑制部が多孔質材料からなり，該反射抑制部の誘電率が多孔質材料の空孔率を調整するようにして調整される請求項３に記載の誘電体線路フィルタ。
【請求項５】
前記反射抑制部の誘電率が前記誘電体ストリップの一部分の誘電率と他の部分の誘電率との間の所定の誘電率に調整されてなる請求項３又は４に記載の誘電体線路フィルタ。
【請求項６】
前記反射抑制部の誘電率が前記誘電体ストリップの一部分の誘電率と他の部分の誘電率との間で連続的に変化するよう構成されてなる請求項３又は４に記載の誘電体線路フィルタ。
【請求項７】
前記反射抑制部の誘電率が前記誘電体ストリップの一部分の誘電率と他の部分の誘電率との間で段階的に変化するよう構成されてなる請求項３又は４に記載の誘電体線路フィルタ。
【請求項８】
前記導電体板の間隙が前記誘電体媒質中における主信号の半波長以下とされてなる請求項１〜７に記載の誘電体線路フィルタ。
【請求項９】
前記誘電体媒質が多孔質材料からなり，該誘電体媒質の誘電率が多孔質材料の空孔率を調整するようにして調整される請求項８に記載の誘電体線路フィルタ。
【発明の詳細な説明】
【０００１】
【発明の属する技術分野】
本発明は，誘電体線路フィルタに関し，さらに詳しくは準ミリ波以上の超高周波信号の伝送に適したＮＲＤガイドフィルタなどの誘電体線路フィルタに関する。
【０００２】
【従来の技術】
従来，ミリ波帯の集積回路には，主にマイクロストリップ線路，導波管線路および誘電体線路が用いられている。ここで，マイクロストリップ線路などのプリント線路は周波数が高くなるにつれて導体損が急増するため，ミリ波帯の伝送路には適していない。また，導波管線路は３次元の立体構造を形成する必要があるため，量産には適していない。
このため，超高周波帯の伝送路として，誘電体線路が注目されている。ところが，誘電体線路は曲がりや不連続部分における放射損が大きく，これにより誘電体線路本来の低損失性が損なわれるという問題がある。
この問題に関し，従来，特許文献１に示すような非放射性誘電体線路（ＮＲＤガイド）が提案され，かつ実施されている。
図４に示すように，ＮＲＤガイドは，２枚の平行導電体板１０１，１０２間の誘電体媒質（通常は空気）１０３中に挿入するようにしながら伝送路としての誘電体ストリップ１０４を導電体板１０１，１０２の間に介装してなるものとされる。ここで，導電体板１０１，１０２の間隙は伝送信号（主信号）の媒質内波長の半分以下とされ，これにより伝送信号が誘電体媒質１０３中で存在し得なくなるので，不要放射が抑えられる。
そして，従来，ＮＲＤガイドを用いたミリ波フィルタとして，非特許文献１に示すような共振型の帯域通過フィルタ，帯域阻止フィルタが提案されている。
【０００３】
【特許文献１】
特公昭６２−３５２８１号公報
【非特許文献１】
電子通信学会論文誌  ’８５／２  Ｖｏｌ．Ｊ６８−Ｂ  Ｎｏ．２，「非放射性誘電体線路を用いたミリ波フィルタの実験的設計」
【０００４】
【発明が解決しようとする課題】
しかしながら非特許文献１に記載されているＮＲＤガイドフィルタは，誘電体からなる所定径の円形共振器を通過帯域，阻止帯域に対応した位置関係で精密に配置する必要があり，その加工および位置決めが容易ではない。また，運用中の誘電体ストリップおよび円形共振器のずれを防止するために特別の加工を施すことが必要となり，量産に適しないという問題がある。
さらに，従来のＮＲＤガイドフィルタは，一般に誘電体ストリップ以外の誘電体媒質が空気とされ，この部分が空隙となっているので強度，堅牢性に欠けるという難点もある。
本発明は，上記事情に鑑みてなされたものであり，その目的とするところは，加工が容易で量産に適し，かつ強度，堅牢性の高い誘電体線路フィルタを提供することにある。
【０００５】
【課題を解決するための手段】
上記目的を達成するために本発明は，略平行な２つの導電体板の間に誘電体媒質と誘電体ストリップとを設け，前記誘電体ストリップを通して信号を伝送するようにしてなる誘電体線路を用いた誘電体線路フィルタにおいて，所定周波数帯域の信号の伝送を遮断するよう前記誘電体ストリップの一部分の誘電率が調整されてなることを特徴とする誘電体線路フィルタとして構成されるものである。
このような構成によって，非特許文献１のように，多数の円形共振器を作成し，それを精密な位置関係で配置していくなどの比較的困難な製造方法によることなく，単に誘電体ストリップの一部分の誘電率を他の部分の誘電率と異ならせるように形成するといった簡易な方法で，所望の周波数選択性を誘電体線路に付与し，これにより誘電体線路フィルタを構成することが可能となる。したがって，量産性が向上する。
【０００６】
また，前記誘電体ストリップが多孔質材料からなり，該誘電体ストリップの一部分の多孔質材料の空孔率を調整するようにしてその誘電率を調整する構成とすることも考えられる。
このような構成により，誘電体ストリップの一部分と他の部分とを同一の原料，素材からなる多孔質材料から形成するようにしながら，両者の空孔率を相違させるだけで所望の周波数帯域の信号を遮断することが可能となる。
すなわち，一般には，誘電体材料の誘電率を変えるためには違う材質のものを用意する必要がある。ところが，多孔質材料においては空孔率を調整することによって誘電率を変えることが可能であり，このため，同一の原料，素材からなる誘電体材料を用いながら誘電率を他の部分と相違させるといったことが可能となる。つまり，実質同一の材料を用いて誘電体ストリップの一部分と他の部分を形成し得るので誘電体線路フィルタの製造が容易となる。
【０００７】
また，多孔質材料は空孔率を上げることで誘電率および誘電損失が低くなり，限りなく空気に近い特性を得ることができる。このため，誘電体ストリップの素材として従来一般に用いられていたテフロン（登録商標）と比較して非常に低損失な伝送特性を達成することが可能となる。
【０００８】
さらに，後掲するように多孔質材料はパターンニングプロセスを用いて導電体板間に形成し得るので容易に複雑な形状に加工することができる。これにより製作が容易となるとともに，設計の自由度が向上する。
【０００９】
また，前記誘電体ストリップの一部分と他の部分との間に信号の反射を抑制するように誘電率が調整される反射抑制部を形成することも考えられる。
この構成により，誘電体ストリップの一部分の誘電率を他の部分の誘電率と相違させたことに起因して両者の境界面で主信号の反射が生じるのを抑制することが可能となる。したがって，伝達特性が向上する。
【００１０】
このとき，前記反射抑制部が多孔質材料からなり，該反射抑制部の誘電率が多孔質材料の空孔率を調整するようにして調整されるよう構成することも考えられる。
これにより，反射抑制部を誘電体ストリップの一部分および他の部分と実質同一の材料から形成することができるので製造が容易となる。
【００１１】
そして，反射抑制部の誘電率を調整する具体的態様としては，反射抑制部の誘電率を誘電体ストリップの一部分の誘電率と他の部分の誘電率との間の所定の誘電率に調整すること，反射抑制部の誘電率が誘電体ストリップの一部分の誘電率と他の部分の誘電率との間で連続的に変化するように調整すること，および反射抑制部の誘電率が誘電体ストリップの一部分の誘電率と他の部分の誘電率との間で段階的に変化するように調整することが考えられる。
【００１２】
また，前記導電体板の間隙が前記誘電体媒質中における主信号の半波長以下とされてなるよう構成することも考えられる。
これにより，誘電体媒質中における主信号（伝送信号）の不要放射のないＮＲＤガイドとして誘電体線路を構成し，より効率的な信号伝送を行うことが可能となる。
【００１３】
このとき，前記誘電体媒質が多孔質材料からなり，該誘電体媒質の誘電率が多孔質材料の空孔率を調整するようにして調整されるように構成することも考えられる。
これにより，誘電体ストリップ以外の部分が空隙とされていた従来の誘電体線路（特許文献１参照）と比較して，誘電体ストリップのずれが生じにくくなるとともに，飛躍的に強度が向上して安定した構造とすることが可能となる。
【００１４】
【発明の実施の形態】
以下添付図面を参照しながら，本発明の実施の形態及び実施例を説明し，本発明の理解に供する。尚，以下の実施の形態及び実施例は，本発明を具体化した一例であって，本発明の技術的範囲を限定する性格のものではない。
【００１５】
実施形態１
図１に本発明の実施形態１に係る誘電体線路フィルタＸの構成を示す。
同図に示すように，実施形態１の誘電体線路フィルタ（以下，単にフィルタという）Ｘは，所定の間隙αで互いに平行に配された２枚の導電体板１，２の間に誘電体媒質３を配するとともに，この誘電体媒質３中に挿入するように伝送路としての誘電体ストリップ４を導電体板１，２の間に介装してなるものである。
【００１６】
ここで，導電体板１，２の間隙α，つまり誘電体ストリップ４の厚みは主信号（伝送信号）が誘電体媒質３中に放射されるときの波長の１／２よりも小さくなるようにされている。これにより誘電体媒質３中に伝送信号が存在し得なくなり，不要放射が抑えられる。すなわち，実施形態１においては，フィルタＸは非放射性誘電体線路（ＮＲＤガイド：Ｎｏｎｒａｄｉａｔｉｖｅ  Ｄｉｅｌｅｃｔｒｉｃ  Ｗａｖｅｇｕｉｄｅ）を用いたフィルタとして構成されている。
【００１７】
また，誘電体ストリップ４においては伝送信号の誘電体ストリップ４内における波長の半分が導電体板１，２の間隙αよりも小さくなるように，その誘電率は誘電体媒質３の誘電率よりも大きくされている。
ここで，誘電体媒質３および誘電体ストリップ４はともに例えば乾燥エアロゲル材からなる多孔質材料から構成される。
【００１８】
すなわち，従来のＮＲＤガイドは一般に誘電体媒質３が空気とされ，したがってその部分は空隙とされる。このため，誘電体ストリップ４にずれが生じるなどの難点があるので，実施形態１では誘電体媒質３を誘電体ストリップ４とともに多孔質材料から構成するものとし，これによって誘電体ストリップ４のずれが防止される。
このように，従来は空隙であった誘電体媒質３の部分が多孔質材料を用いて充填されることによって，強度および堅牢性も飛躍的に向上する。
そして，このような多孔質材料は，空孔率を調整することによって誘電率を調整することが可能である。したがって，同一の原料，素材を用いて作成される多孔質材料を適用して誘電体媒質３と誘電体ストリップ４とを構成しながら，誘電体ストリップ４内部にのみ伝送信号が存在し得るように誘電体媒質３および誘電体ストリップ４の誘電率を調整することが可能となる。
【００１９】
次に，誘電体ストリップ４をさらに詳しく説明する。
誘電体ストリップ４は，その一部分の誘電率を他の部分の誘電率と相違させるようにして，所定の周波数帯域の信号を遮断するフィルタ部５が設けられる。
すなわち，実施形態１のフィルタＸにおいては，誘電体ストリップ４の一部分であるフィルタ部５の誘電率ε５がそれ以外の部分（以下，通常伝送部と称する）６の誘電率ε６よりも小さくなるようにフィルタ部５に相当する部分の空孔率が他の部分よりも大きくされ，これによって誘電体線路が周波数選択性のあるフィルタとして機能するように構成されている。
ここで，誘電体媒質３，フィルタ部５および通常伝送部６の各誘電率ε３，ε５，ε６には下記不等式１の関係があり，この結果，各部３，５，６において存在可能な信号の下限周波数ＦＤ３，ＦＤ５，ＦＤ６の関係は下記不等式２のようになる。
2004343316.tif 000003
ただし，下限周波数ＦＤ３，ＦＤ５，ＦＤ６は誘電体媒質３，フィルタ部５および通常伝送部６において伝送信号の半波長が板間隙αと等しくなるときの周波数である。この結果，周波数Ｆが，ＦＤ５＞Ｆ＞ＦＤ６である信号，つまりＦＤ６以上ＦＤ５以下の周波数の信号はフィルタ部５を通過することなく遮断される。
【００２０】
次に，導電体板１，２の間に多孔質材料からなる誘電体媒質３および誘電体ストリップ４を形成する形成方法を具体的に説明する（なお，特願２００３−１９３４４号参照）。
【００２１】
まず，所定の誘電体原料を，一方の導電体板１上に厚みが前掲した間隙αとなるように塗布する。
ここで用いられる誘電体原料は，有機金属材料の一例であるテトラメトキシシラン（金属アルコキシド）Ｓｉ（ＣＨ３Ｏ）４を２ｇ，エタノールを１０ｇ，ブタノールを２ｇ，３−メトキシプロピオン酸メチルを１ｇ，ｐＨ（ペーハー）＝３の水を１．２ｇを混合して攪拌した後，６０℃にて約６時間保持して反応させ，この溶液に光酸発生剤であるＩＢＣＦ（株式会社三和ケミカル製）を０．０５重量％の割合で混合した透明な溶液を調整し，この溶液１０ｃｃとヘキサデシルトリメチルアンモニウムクロリド０．２ｇ（界面活性剤の一例）とを混合して攪拌させて調整した溶液である。
【００２２】
次に，前掲した誘電体原料が塗布された部分を，大気中において８０℃で加熱（ベーク）して乾燥させることにより膜を形成させる。この加熱は，原料溶液に含まれるエタノール等の溶媒を除去し，膜の粘性を高めて基材上に安定化させるのに十分な時間（例えば，１〜５分程度）だけ行う。
続いて，誘電体原料の膜における誘電体ストリップ４に相当する部分にのみ電子ビームを照射する。このような電子ビームとしては，例えば，加速電圧５０ｋｅＶ，ドース１０μＣ／ｃｍ２の電子ビーム等を用いる。
これにより，テトラメトキシシランから形成されたＳｉ−ＯＨの状態のものが，Ｓｉ−Ｏの結合を形成することになる（いわゆる架橋反応）。
【００２３】
次に，誘電体原料の膜を大気中において１００℃で加熱（ベーク）する。この工程は，電子ビーム未照射部分の架橋反応も促進させるための工程であり，例えば，１〜５分程度行う。
【００２４】
次に，１５ＭＰａ，８０℃の超臨界ＣＯ２を用いて，界面活性剤であるヘキサデシルトリメチルアンモニウムクロリドの抽出処理を施し，誘電体原料の膜中に残存した有機成分を除去する。この工程では，例えば，まず所定の圧力容器に誘電体原料を入れ，次にその圧力容器に超臨界状態ではないＣＯ２を導入した後，圧力容器内の温度及び／又は圧力を上げてＣＯ２を超臨界状態とする。又は，超臨界状態の流体を，誘電体材料が入った圧力容器に導入してもよい。
【００２５】
次に，抽出処理が施された後の誘電体原料を，大気中において２００℃にて加熱する。この加熱は例えば，５〜３０分程度行う。
以上の工程を経ることによって，誘電体原料の層において除去された有機成分が存在した部分が空孔となり，一方の導電体板１上にいわゆる乾燥エアロゲル材からなる多孔質材料の層が形成されることになる。これにより，電子ビームが照射される誘電体ストリップ４相当部分の空孔率よりも誘電体媒質３相当部分の空孔率の方が高くなり，誘電体ストリップ４の誘電率が誘電体媒質３の誘電率よりも高くなる。
そして，誘電体ストリップ４内部においては，フィルタ部５に相当する部分の電子ビーム照射量が通常伝送部６に相当する部分の照射量よりも小さくされる。これにより，フィルタ部５相当部分の空孔率が通常伝送部６相当部分の空孔率よりも高くなり，この結果，フィルタ部５の誘電率ε５が通常伝送部６の誘電率ε６よりも低くなるように形成される。
このようにして形成された誘電体ストリップ４および誘電体媒質３の層の上に，他方の導電体板２を接着することにより，誘電体線路フィルタＸを製造することが可能となる。
【００２６】
以上示した製造方法によれば，従来のように各構成部品を個別に製作した後に組み立てるといった製造方法ではなく，パターンニングにより製造できるので，誘電体線路の大量生産に好適である。
また，電子ビームの照射に替えて，Ｘ線（例えば，電子エネルギー１ＧｅＶ）の照射や，イオンビームの照射（例えば，Ｂｅ２＋をエネルギー２００ｋｅＶ，イオンドース１ｅ１３／ｃｍ２〜１ｅ１４／ｃｍ２で照射する等）を行った場合も同様の結果が得られる。
また，ヘキサデシルトリメチルアンモニウムクロリドの抽出処理に用いる超臨界流体としては，少なくとも二酸化炭素，エタノール，メタノール，水，アンモニア又はフッ化炭素物質のうち１以上の物質を含む２種以上の物質が混合されたものとしても同様の結果が得られる。
【００２７】
このように，実施形態１のフィルタＸは，いわゆるＮＲＤガイドを用いたフィルタにおいて，誘電体ストリップ４が多孔質材料から形成されるとともに，前掲した製造方法によりフィルタ部５の空孔率が調整され，これにより所望周波数帯域の信号が遮断される。したがって，従来技術で言及した非特許文献１の共振型のフィルタと比較して遥かに簡易に，すなわち通過帯域，阻止帯域に対応する所定径の円形共振器を多数作成し，これを精密な寸法管理の下で所定の間隔で配置するといった煩雑な工程を経ることなく所望の周波数選択性を具備した誘電体線路フィルタを構成することが可能となる。
また，誘電体ストリップ４を構成する誘電体材料が従来のテフロン（登録商標）などとは異なり，例えばテトラメトキシシランを原料とする多孔質材料とされるので，誘電損失についての特性が限りなく空気に近く，非常に低損失な誘電特性を達成することが可能となる。
また，実施形態１のフィルタＸにおいては，通常は空隙とされる誘電体媒質３が誘電体ストリップ４と同様に多孔質材料から構成される。したがって，誘電体ストリップ４のずれが防止されるとともにフィルタＸの強度および堅牢性が向上する。
そして，このような誘電体媒質３および誘電体ストリップ４は個別に製作した後に組み立てるといった製造方法によるのではなく，パターンニングにより製造されるので大量生産するのに好適である。
さらに，実質同一の材料によって誘電体媒質３および誘電体ストリップ４（フィルタ部５，通常伝送部６）を構成するものとしたことによって同一の原料から各部３，４，５，６を製造することが可能となり，製造が容易となる。したがって，製造コストの低減が図れる。
【００２８】
実施形態２
次に，図２を参照しながら本発明の実施形態２を説明する。
実施形態２のフィルタＸ１は，実施形態１のフィルタＸの誘電体ストリップ４を改変してなるもので，その他の部分は実施形態１と同様とされる。したがって，以下においては異なる部分のみを説明する。
フィルタＸ１の誘電ストリップ４Ａは，フィルタ部５両端と通常伝送部６との境界に主信号の反射を抑制する反射抑制部７を形成するようにしてなるものとされる。
すなわち，誘電体ストリップ４Ａにおいてフィルタ部５は，所定周波数帯域の信号を遮断するように誘電率ε５が通常伝送部６の誘電率ε６と相違するように形成される。ここで，両者の誘電率ε５，ε６の差が大きく急激に変化するような場合は，フィルタ部５と通常伝送部６との境界面で主信号に大きな反射が生じてしまうことがある。反射抑制部７は，このようなフィルタ部５と通常伝送部６との間の誘電率の差異に起因する信号の反射を抑制しながらフィルタ部５と通常伝送部６とを接続するマッチング用の線路として設けられるものとされる。
ここで，反射抑制部７の誘電率ε７は，フィルタ部５の誘電率ε５と通常伝送部６の誘電率ε６との間で反射の発生を効果的に抑制することができる所定の誘電率に設定される。また，このような誘電率ε７は，実験的に求めるようにして設定することが可能である。
【００２９】
また，反射抑制部７の誘電率ε７は一定の値に限らず，反射抑制部７とフィルタ部５との接合端面から通常伝送部６との接合端面に向かって誘電率がフィルタ部５の誘電率ε５と通常伝送部６の誘電率ε６との間で連続的に変化するものとされてもよい。
また，反射抑制部７とフィルタ部５との接合端面から通常伝送部６との接合端面に向かって誘電率がフィルタ部５の誘電率ε５と通常伝送部６の誘電率ε６との間で段階的に変化するものとされてもよい。
また，実施形態２においては反射抑制部７は，フィルタ部５および通常伝送部６を構成する多孔質材料と同一の原料からなる多孔質材料から形成するものとされる。すなわち，実施形態１で言及した多孔質材料の形成方法において，反射抑制部７に対する電子ビームの照射量をフィルタ部５相当部分における照射量と通常伝送部６相当部分における照射量との間の所定の照射量に調整するようにして，反射抑制部７の誘電率ε７を調整することができる。
【００３０】
このように，実施形態２のフィルタＸ１においては，誘電体ストリップ４のフィルタ部５と通常伝送部６との間に信号の反射を抑制する反射抑制部７が形成されるので，両者の誘電率ε５，ε７の差異に起因して主信号の反射が生じるのを防止することができる。したがって，伝送特性が向上する。
また，反射抑制部７は，フィルタ部５および通常伝送部６を構成する多孔質材料と実質同一の材料から構成されるので製造が容易となる。
【００３１】
【実施例】
以下，図３を参照しながら，実施形態の誘電体線路フィルタの実施例を説明する。図３（ａ）は，実施形態のフィルタＸ，Ｘ１が適用された周波数分割方式の無線通信システムＢを示すブロック図である。
無線通信システムＢは，アンテナ１１，受信側周波数変換器１２，送信側周波数変換器１３および分岐１４（例；ダイプレクサ，サーキュレータ）を含み，分岐１４から受信側周波数変換器１２に受信信号を伝送する受信側伝送路２１と送信側周波数変換器１３から分岐１４に送信信号を伝送する送信側伝送路２２と，アンテナ１１−分岐１４間の伝送路２３とににそれぞれＮＲＤガイドを適用するようにして構成されている。
【００３２】
この無線通信システムＢにおいては，大出力である送信信号の一部が分岐１４を介して受信側伝送路２１に回り込んでしまい，その結果，受信側伝送路２１におけるスペクトクルは例えば図３（ｂ）に示すようになる。すなわち，受信信号３１のレベルよりもそのような回り込み信号（送信信号）３２のレベルの方が大きくなる。
このように，大きなレベルの回り込み信号（送信信号）が受信側周波数変換器１２に入力されると受信アンプが飽和するなどの問題が生じる。そこで，無線通信システムＢにおいては受信側伝送路２１を実施形態のフィルタＸ，Ｘ１から構成するものとされる。
すなわち，ＮＲＤガイドからなる受信側伝送路２１の図示しない誘電体ストリップ（４）の一部分に誘電率の小さいフィルタ部（５）を形成することによって，受信側伝送路２１が回り込み信号を遮断するフィルタとして機能するものとされる。
【００３３】
このとき，受信信号の周波数ＦＲＸ，送信信号の周波数ＦＴＸおよびフィルタ部（５）における前掲した下限周波数ＦＣＵＴは，例えば下記不等式３により示される関係となるように設定される。
2004343316.tif 000004
これにより，図３（ｂ）に破線４０で示すようなフィルタ特性が達成されるため，図３（ｃ）に示すように，受信側伝送路２１において回り込み信号３２を十分に減衰させることが可能となる。
【００３４】
【発明の効果】
以上説明したように，本発明によれば，伝送特性に優れるとともに，加工が容易で量産性に優れ，かつ強度および堅牢性の良好な誘電体線路フィルタを実現することができる。
【図面の簡単な説明】
【図１】本発明の実施形態１に係る誘電体線路フィルタの構成を示す斜視図である。
【図２】本発明の実施形態２に係る誘電体線路フィルタの構成を示す斜視図である。
本発明の実施形態２に係る誘電体線路フィルタの構成を示す斜視図である。
【図３】実施形態の誘電体線路フィルタを適用した実施例としての無線通信システムの構成を示すブロック図である。
【図４】従来の一般的な誘電線路の構成を示す斜視図である。
【符号の説明】
１、２…導電体板
３…誘電体媒質
４…誘電体ストリップ
５…フィルタ部，
６…通常伝送部
Ｘ，Ｘ１…誘電体線路フィルタ
【図１】
2004343316.tif 000005
【図２】
2004343316.tif 000006
【図３】
2004343316.tif 000007
【図４】
2004343316.tif 000008